(57)【特許請求の範囲】
【請求項１】
折りたたみ自在に横並びに連結された複数の柵体と、
前記連結された柵体の下枠に取り付けた複数のキャスターと、
前記連結された複数の柵体の内の特定の柵体の下枠に折り畳み可能に取り付けた荷台と、
前記連結された柵体に取り付けた転倒防止用の支持具と
台車として使用するときに、前記折りたたみを解いたときに荷台の端を受ける、前記特定の柵体の対向位置の柵体の下枠に設けた荷台受けと、
を備えた台車兼用安全柵であって、
横並びに連結された複数の柵体を展開し、荷台は折りたたんで転倒防止用の支持具によって保持することで、自立可能な安全柵として使用し、
前記荷台の折り畳みを解き、前記荷台の周りに前記柵体を配置することで、台車として使用する
ことを特徴とする台車兼用安全柵
【請求項２】
前記支持具として、他の構造物と連結するための連結具、あるいは自立用支持脚を有する請求項１に記載の台車兼用安全柵。
【請求項３】
前記荷台にスロープが備えられている請求項１に記載の台車兼用安全柵。
【請求項４】
前記キャスターの少なくとも一つはストッパー付である請求項１に記載の台車兼用安全柵。
【請求項５】
前記キャスターの少なくとも一つは自在式である請求項１に記載の台車兼用安全柵。
【請求項６】
前記柵体の少なくとも一つに網またはその代替品が張られた請求項１に記載の台車兼用安全柵。
【請求項７】
前記特定の柵体の折り畳み機構に代えて、荷台を脱着可能とし、当該特定の柵体の下枠に荷台受けを設け、安全柵として使用するときは前記荷台を取り外して前記荷台受けに安全柵と平行に固定し、台車として使用するときは、前記特定の柵体の荷台受けとそれに対向する柵体の下枠に設けた前記荷台受けとの間に跨って荷台を取り付け支持する構成とした請求項１〜６のいずれかに記載の、台車兼用安全柵。
【発明の詳細な説明】
【技術分野】
【０００１】
本発明は、工事や設備補修などで使用する台車兼用安全柵に関し、特に、コークス炉補修時の安全性確保に適した台車兼用安全柵に関する。
【背景技術】
【０００２】
コークス炉は石炭を乾溜（炭化）してコークスを得る設備である。コークス炉は、幅約４５ｃｍ、高さ約５ｍ、奥行き約１５ｍの炭化室とその両側面（５ｍ×１５ｍの面）に設置された加熱室からなる。炭化室内に充填された石炭の乾留は、加熱室から壁面を通じて炭化室に伝達された熱により行う。このため、加熱室、炭化室、加熱室、炭化室と交互に炉室が設置され、炭化室の数はコークス炉１基で数十門に達する。
【０００３】
コークスの乾溜は、１日約１回のサイクルで行われる。炭化室の両端面（４５ｃｍ×５ｍの面）は、乾溜中、ドアによって閉じられている。乾溜が終了すると、両端面のドアは開けられ、片側から押出機の押出ラムを挿入し、反対側にコークスを押し出す。以下、押出機が設置された側をマシン側、押し出される側を押出側と称する。
【０００４】
押出側には、幅３ｍ程度の作業デッキがあり、その外側には、専用の貨車が設置されている。押し出されたコークスはまだ高温であるため、上記専用貨車に積み込まれ、消火・冷却装置に送られる。作業デッキから前記貨車の通る線路との間には数ｍの段差があり、作業デッキには転落防止などのための高さ約１ｍの転落防止柵が設けられている。
【０００５】
一方、コークス炉のドア付近では加熱冷却が繰り返されるために煉瓦の損傷が起きやすく、しばしば補修作業が行われる。補修は吹き付け補修や溶射補修によって行われる。補修作業は、炉口から深い位置、ならびに作業デッキから高い位置に対しても行われるため、吹き付けや溶射に用いるランスの長さは５ｍ以上にも達する。
【０００６】
押出側での補修は、前述の幅３ｍほどの作業デッキ上で行う。しかし、特定の門での補修作業中にも他の門ではコークスの押出作業が行われるために、貨車がすぐ脇を通り過ぎることもある。
【０００７】
作業デッキの幅は３ｍ程度のため、長さ５ｍ以上にもなる長尺のランスを扱うには十分な幅があるとは言えない。またランスをコークス炉に出し入れする際に貨車の軌道上にはみ出し、ランスが貨車と接触する恐れがある。さらには、安全柵の隙間から機材や人が貨車の軌道上に転落する恐れもある。一方、設備面から通路の幅をこれ以上拡げることも難しい。
【０００８】
他方、補修用の機材は、長尺のランスをはじめ吹き付け機や溶射機など嵩ばったり重量のあるものが多く、運搬や保管に手間取っている。また、コークス炉は連続して操業するために、補修時間は限られており、補修機材と安全柵の運搬、安全柵の設置、補修作業、安全柵の撤去、補修機材と安全柵の移動という連続した作業の中で、効率的かつ安全に対して確実な対策が求められてきた。
【０００９】
一般的な工事や設備の補修作業などを行う場合、必ず作業現場の周囲に安全柵を設置して、作業者や付近を通行する者の安全を確保している。
【００１０】
その際に使用する安全柵には、特許文献１から３のように、キャスターを付けて持ち運びしやすくしているものがある。
【００１１】
特許文献１には、Ｌ型に連結した２面からなり、下側にキャスターを取り付けて自由に移動できる構造とした安全柵が開示されている。特許文献２には、マンホールの防護柵としてマンホールの３方向を囲う車輪付きの安全柵が開示されており、移動中は両サイドをなす柵が折りたためる構造としたものである。また、特許文献３は、台車をベースに、３面の安全柵を設けた移動可能な台車付きの安全柵が紹介されている。この場合も、移動中には柵は折りたたんでいる。
【先行技術文献】
【特許文献】
【００１２】
【特許文献１】特開２００１−１３１９３２号公報
【特許文献２】実公平７−２０１８３号公報
【特許文献３】特開平８−２６６４９号公報
【発明の概要】
【発明が解決しようとする課題】
【００１３】
しかしながら、先に上げた特許文献１〜３をコークス炉の補修作業に適用しようとすると、以下のような問題がある。
【００１４】
特許文献１の形態では、安全柵の移動は容易だとしてもＬ字型に固定されているため、コークス炉の押出側の作業デッキのように、通路上の作業スペースの片側だけに防護柵を設置する場合には適していない。また、柵の移動は容易でも、補修機材の搬送には別の台車等が必要となる。また、その搬送に用いた台車を作業デッキ上に残すことは作業上障害となり好ましくない。
【００１５】
特許文献２でも、移動が容易であり、また折りたたみ式の安全柵を直線上に広げることは可能だとしても、マンホールの周囲を囲う枠の部分の形状は固定されており、これをコークス炉の補修作業に使用するとなると、前記固定部分が作業デッキに張り出すため、作業上障害となり好ましくない。また、柵の移動は容易でも、補修機材の搬送には別の台車等が必要となるという問題もあった。
【００１６】
特許文献３は、機材を運搬する台車として兼用でき、かつ旋回自由に繋がれた安全柵を直線上に広げることで、比較的広い範囲をカバーすることができる。しかし、台車がベースになって安全柵が広げられるため、台車部分は作業デッキ上に張り出した形で残り、作業上障害となる問題がある。
【００１７】
本発明は、コークス炉押出側の作業デッキのように幅の狭い通路状の作業スペースでも使用できる安全柵を提供するとともに、台車としても活用でき、また安全柵として使用するときは、十分に広い作業スペースを確保できるような、台車兼用安全柵を提供することを目的とする。
【課題を解決するための手段】
【００１８】
本発明は、以下の構成を備えた台車兼用安全柵である。
【００１９】
複数の柵体を折りたたみ自在に連結し、当該連結された柵体の下部には展開、収納に必要な数のキャスターを備えておく。前記連結された複数の柵体のいずれかの柵体の下部に、荷台を折りたたみまたは脱着可能に配置し、前記連結された柵体の少なくとも１箇所に転倒防止用の支持具を備える。
【００２０】
前記台車兼用安全柵は、以下のように安全柵として、あるいは台車として使用できる。すなわち、前記連結された複数の柵体を直線状に展開し、荷台を折りたたみ又は取り外し、転倒防止用の支持具によって直立状態を保持することで、自立可能な安全柵となる。また、前記荷台の折りたたみを解き、または取り外した前記荷台を前記安全柵の特定の枠柵の下部に取り付け、前記荷台の周りに前記各柵体を収納することで、台車として使用可能とした。
【００２１】
前記支持具として、他の構造物と連結するための連結具、あるいは自立用支持脚を備える構成とする。また、前記荷台にスロープが、前記荷台に対して折り畳み可能に備えられている構成とする。
【発明の効果】
【００２２】
上記の構成により、本発明の台車兼用安全柵は、複数の柵体を展開することで、設置・撤収が容易な安全柵となり、また、前記複数の柵体を折り畳んで荷台の周囲に収容することで、作業用の機材を運搬・保管する台車にもなる。
【００２３】
また、荷台が、柵体に対して折りたたみ、または脱着可能なため、安全柵として使用しているときに作業スペースを確保でき、荷台部分が作業に邪魔になることはない。
【００２４】
また、柵体を展開して安全柵としたときの転倒を防止するための支持具を備えているので、人や物との接触により、あるいは風にあおられた場合でも安全柵が転倒することはない。
【００２５】
また、荷台に折り畳み自在にスロープを備えた場合は、機材の積み降ろしが容易になる。本発明をコークス炉補修時の可搬式安全柵として用いるときは、上記の利点に加えて、補修作業中にランスなどの機材や人が通路からはみ出して貨車に接触したり、貨車の軌道上に転落したりすることが防止でき、安全性が向上する。
【図面の簡単な説明】
【００２６】
【図１】本発明の台車兼用安全柵を安全柵として展開した場合の正面図。
【図２】本発明の台車兼用安全柵を安全柵として展開した場合のＡ―Ａ断面図。
【図３】本発明の台車兼用安全柵を安全柵として展開した場合の平面図。
【図４】本発明の台車兼用安全柵を台車として使用する場合の正面図。
【図５】本発明の台車兼用安全柵を台車として使用する場合の側面図。
【図６】本発明の台車兼用安全柵を台車として使用する場合の平面図。
【図７】本発明の台車兼用安全柵の荷台のスロープを収納した状態を示す図。
【図８】本発明の台車兼用安全柵の荷台のスロープを収納した状態を示す図。
【図９】脱着自在にした荷台を装着した状態を示す図。
【図１０】脱着自在にした荷台を外して安全策として利用するときの状態を示す図。
【図１１】支持具としてアウトリガーを用いた場合の図。
【図１２】支持具として支持棒を用いた場合の図。
【図１３】支持具として床面に接する支持受けを用いた正面図。
【図１４】支持受けとしてＴ字脚を用いた平面図。
【図１５】支持受けとして十字脚を用いた平面図。
【図１６】支持受けとして円盤脚を用いた平面図。
【発明を実施するための形態】
【００２７】
以下、図面に基づいて本発明を説明する。本発明は以下の形態に限定されるものではない。また、各図は本発明を説明するために本発明の一例を模式的に表したに過ぎず、構造・形態・数量等はこの例に限定されるものではない。
【００２８】
＜安全柵＞
本発明は、折りたたみ自在に横並びに連結された複数の柵体を備え、台車としてまた安全柵として用いることができる。以下安全柵として使用する場合を説明する。
【００２９】
図１〜図６に例示した安全柵３０では７面の柵体（３１〜３７）を連結した場合を示し、各柵体（３１〜３７）は当該各柵体（３１〜３７）の縦枠に設けられた継手４１により隣接する柵体と横並びに折りたたみ自在に連結されている。
【００３０】
本発明は台車としても利用するため、荷台２１（後に説明）の前方とそれに直角な両側片を囲う少なくとも３面の柵体が必要である。図１〜図６では７面の柵体（３１〜３７）を連結した場合を示したが、柵体の数は７面には限定されない。広範囲を保護するための安全柵としては４面以上の柵体を連結することが好ましい。より好ましくは、６面以上である。
【００３１】
図１〜図６に示すように、各柵体には縦桟を１〜３本設けられている。当該柵は、桟により柵体の補強や人や機材が柵外へのはみ出し防止などを図ることができ、縦、横、斜め、格子などのいずれでもよく、その数も適宜選択できる。
【００３２】
さらに、柵体に網５１を張設しておくことによって、作業中に長尺の機材（例えば、コークス炉の補修用に使用するランス）や作業工具、人体の一部などが前記線路側に飛び出すことを防ぐことが可能となる。本発明の網の形態は特に問われることはなく、作業中に柵の枠や桟の間からランスの先端などの機材や人のはみ出し、転落を防止でき安全が確保できるものであればよい。
＜キャスター＞
本発明は、台車兼用の安全柵である。従って、台車としての使用、安全柵としての使用のそれぞれの態様に、展開、収納に必要な複数のャスターが、柵体の下側の枠に取り付けられる。当該キャスターは台車として使用する必要上、少なくとも３個、さらに台車として安定に使用するためには４個以上を取り付けることが望ましい。
【００３３】
図１、図４、図５では、柵体３２、３４の下枠に自在式キャスター６１とストッパー付き自在式キャスター６２を各１個、柵体３１，３７の下部に自在式キャスター６３を各１個取り付けた場合を例示している。
【００３４】
すなわち、台車として使用するときには、各柵体を以下に説明するように台を囲むように折り畳むことになるが、このとき柵体３２と柵体３４が荷台２１の対抗する側面に配置されることになり、結果として、４輪の台車として機能することになる。このとき、前方両サイドに自在キャスター６１が、後方両サイドにストッパー付き自在式キャスター６２を用いており、当該後方両サイドにストッパー付き自在式キャスター６２で、機材の積み下ろしの際に安定した作業ができる。
【００３５】
更に、安全柵として使用するとき、自在式キャスター６３で両端の柵体３１、３７の高さの維持、および両端での荷重の支持が出来るようになっている。
【００３６】
各キャスターの取り付け位置は上記に限るものではなく、たとえば、柵体３２〜３５に各一個ずつ取り付けても良い。更に、キャスターの種類、機能も特に限定されるものではない。また、キャスターとして自在式（方向を力の係り具合で自由に変更できる）を用いるか、固定式（方向が固定されている）を用いるか、あるいは、ストッパー付きを用いるかは、当該台車安全柵が適用される作業の種類等に応じて決定することができる。
【００３７】
＜荷台＞
前記連結された中央部の柵体３４の下枠に、継手４２で折りたたみ可能に連結された荷台２１を備える。折りたたみ可能とすることで、台車として使用する際（後述する）には、荷台２１を柵体３４に直角に開いて水平にし、その上に荷物を載せることが可能となる。また、安全柵として展開する際には、荷台２１を柵体３４に平行（地面に垂直）に畳んで、作業場への張り出しを最小限に押さえ、作業スペースを確保することが可能となる。
【００３８】
また、台車として組み立てたとき（図６参照）、継手４２を設けた前記柵体３４に対向する位置にある柵体３２の下枠に、前記荷台２１が水平になった状態を下側から受ける荷台受け３２１を設ける。更に、前記柵体３４の下枠の前記荷台受け３２１に対向する位置にも荷台受け４２１を設ける。これによって、荷台２１を水平に開いたとき、荷台２１は前記荷台受け３２１に受け止められるとともに、継ぎ手４２の側でも前記荷台受け４２１で支えられる。従って、荷台２１上にかかる荷重を分散でき、より重量の大きな荷物を荷台２１に乗せることが可能となる。尚、継ぎ手４２と前記荷台受け４２１は、相互に干渉しない位置に配置されることは勿論である。
【００３９】
もっとも、継ぎ手４２側の荷台受け４２１は、継ぎ手４２による荷台２１の開き角度の限界を水平とし、かつ、強度が充分であることを条件として省略することも可能である。
【００４０】
更に、荷台２１の継手４２を設けた辺と直角な辺（台車として使用するときの後方側）に、継手４３で折りたたみ可能に連結されたスロープ２２を備える。当該スロープ２２を折り畳んだ状態では荷台２１に重ねられた状態になり収納状態を形成する。前記安全柵３０として用いる場合には、前記荷台２１が柵体３４に平行に立てられているのであるから、前記収納状態のスロープ２２も当然柵体３４に平行に立てられて、作業デッキでの作業に支障がでないようになっている。
【００４１】
台車として使用するときであって、機材を搬送するときは、図６、図７に示すように、水平に開いた状態の荷台２１に直角にスロープ２２を立てて、機材の収容に支障を来たさないようにする。
【００４２】
さらに、台車として使用するときであって、機材を積み降ろしするときは、図８に示すように、継ぎ手４３で荷台２１からスロープ２２を開いた状態にする。これによって、床面から荷台２１に渡って傾斜が形成され、荷台２１への（荷台２１からの）荷物の積み降ろしが容易かつ安全となる。スロープ２２の大きさや、スロープ２２を開いたときの床面となす角度については、適宜選択可能である。
【００４３】
尚、上記では柵体３４に荷台２１を取り付ける構成としたが、荷台２１が取り付けられる柵体は柵体３１〜３７の折り畳み方式によって決定されるものであって、上記の例に限定されるものではない。
【００４４】
また、前記荷台（または荷台＋スロープ）は、図９に示すような脱着式としてもよい。
【００４５】
台車として使用するときには、継手４３で折りたたみ可能に接続したスロープ２２を有する脱着式の荷台２１１が柵体３２、３４のそれぞれの下枠に備えた荷台受け３２１、４２２に跨って支持される。機材を積み降ろしする際には、図８と同様にスロープ２２を開く一方、安全柵として使用するときは、図１０に示すように、スロープ２２を折りたたんだ状態で、荷台２１１が荷台受け４２２上に柵体３４に平行に固定される。
【００４６】
更に、荷台２１（２１１：以下単に２１とする）の下部にもキャスターを取り付け、荷台２１にかかる荷重をこのキャスターで支持することも可能である。この場合、荷台２１を折りたたんで収納した際に作業スペース側にキャスターが飛び出さないように、キャスターをヒンジ止めして自重でキャスターが垂れ下がるようにするなど、取り付け方を工夫することが好ましい。
【００４７】
＜支持具＞
本発明の台車兼用安全柵では、前記のように、連結された各柵体３１〜３７を開くことによって安全柵として使用することができる。ところが、コークス炉の補修用などのために安全柵として展開して使用する際、各柵体３１〜３７は直線上に展開されるため、このままでは、自立できない。そのため、転倒防止用の支持具を備えた構成としている。
【００４８】
転倒防止用の支持具は少なくとも一つあれば自立させることはできるが、より確実に自立させるためには、両端と中央付近の柵体に取り付ける等、複数の柵体に支持具を設けることが好ましい。支持具の形態については特に限定されず、現場に合わせて適宜選択できる。
【００４９】
図２、図３では、前記支持具として、各柵体３１〜３７の上枠に回動自在な所定長さの支持アーム４４を取り付け、その自由端に連結具４４１を備えて、作業デッキの縁に予め設けてある転落防止柵１１に連結する構成としている。
【００５０】
尚、本例のように、転落防止柵１１等の支持受け箇所（建造物、柵等）が近くにある場合は、支持具（支持アーム+連結具）として、各柵体３１〜３７（あるいは一部の柵体）と当該支持受け箇所を連結する構成とすれば足りるが、支持受け箇所がない場合には、自立用支持脚を備える必要がある。
【００５１】
自立用支持脚としては、例えば図１１に示すアウトリガー４１１、図１２に示す柵体の縦枠を柵面の両側から斜めに支える支持棒４１２を用いることができる。更に、床面に接する脚が、図１３、図１４に示すＴ字脚４１３、図１３、図１５に示すＸ字脚４１４、図１３、図１６に示す円盤脚４１５等を収納式または脱着式に設けるなど、周知の自立用支持脚が適用でき、また連結具と自立用支持脚とを併用してもよい。
【００５２】
本発明は、安全柵として使用する場合と、台車として使用する場合がある。上記のように支持具として支持脚を用いたとき、上記安全柵から台車あるいはその逆に組み換えるとき、支持脚が邪魔になることがある。それを避けるために、支持脚は、柵体の縦枠の下端に着脱自在、もしくは、台車に組み立てるときには、支持脚が床面に着かない状態に縮めることができる構成とするのが好ましい。また、上記支持脚の取り付け箇所、数は、安全柵が自立できるように任意に選択することができる。
【００５３】
＜その他＞
本発明は台車として、作業現場で必要な荷物を運搬するための用に供することができる。台車として使用するときに操作用のハンドルを備える必要がある。図５、図６に示すようにハンドル３７１は、最外側に位置する柵体３７の上の枠に固定されている。更に、図６には作業に必要な工具を収納する小物入れ３３１を前記ハンドル３７１に対向する側の柵体３３に取り付けた状態を示している。
【００５４】
＜使用態様＞
（１）安全柵
上記のように構成した本発明の安全柵兼用台車の、安全柵としての態様について、図１〜図３に基づいて説明する。
【００５５】
台車として使用するときは、荷台の周囲を囲っている各々の柵体３１〜３７（図６参照）を、作業デッキの縁に設けられた既設の転落防止柵１１に沿って一直線状に展開（後に説明）して、安全柵３０が構成される。この状態で、前記各柵体３１〜３７に備えた支持アーム４４と前記把持具４４１により転落防止柵１１に連結されることで、安全柵３０の転倒が防止されている。
【００５６】
中央の柵体３４と両端の柵体３１、３７のそれぞれにキャスター６１、６２とキャスター６３が設けられているため、重量は各柵体３１〜３７に分散され、所定の高さを保って支持されている。
【００５７】
一方、荷台２１は、柵体３４に設けられた継手４２を支点として上方に折りたたまれる。このため、前記柵体３４と平行になり、作業現場である作業デッキへの張り出しが最小限に抑えられている。また、荷台２１上には、継手４３を支点としてスロープ２２が重ねて折りたたまれており、荷台２１はスロープ２２ごと折りたたまれた状態となっている。尚、図示を省略しているが、荷台２１は留め具により柵体３４に固定されているため、作業中に荷台２１が倒れることはない。
【００５８】
（２）台車への組み立て手順
続いて、本発明を前記のように安全柵として設置している状態から、台車として用いる状態への組み立て手順を、図１〜図６に基づいて説明する。
【００５９】
まず、折り畳んであった荷台２１を継手４２を軸に水平に開く。これによって柵体３４に設けた荷台受け４２１により、荷台２１は水平に支持される。
【００６０】
次いで、各柵体３５〜３７の支持具である把持具４４１の転落防止柵１１との連結を解除し、図６に示すように柵体３５〜３７を折りたたむ。すなわち、図１の中央から右に配置された柵体３５，と３６を前記柵体３４の内側に重ね、一番端の柵体３７で荷台２１の後方（短辺）を囲う。これによって、ハンドル３７が荷台２１の後方に位置するようになる。
【００６１】
次いで、各柵体３１〜３３の把持具４４１の転落防止柵１１との連結を解除し、図６に示すように折りたたむ。すなわち、図１の中央から左に配置された柵体３３で荷台２１の前方辺を囲い、柵体３１、３２を重ねた状態で荷台２１の継ぎ手４２に対向する側辺（長辺）を囲うようにする。これによって、荷台受け３２１が、荷台受け４２１に対向する側の荷台２１の辺を受けることになる。
【００６２】
最後に、柵体３４の転落防止柵との把持具４４１を外し、台車としての組み立てが完了する。
【００６３】
スロープ２２は、通常は図４〜図７のように継手４３を支点として、荷台２１に直角に立てられ、機材の収容に支障を来たさないようにする。
【００６４】
機材を積み降ろしする際には、柵体３７を開き、図８に示すように継手４３を支点としてスロープ２２を開いて、傾斜を形成した状態になる。
【００６５】
なお図示を省略しているが、図６に示した折り畳み状態の柵体３１〜３７は適当な個所で留め具により固定されており、不意の展開を防止している。また連結具（連結アーム＋把持具）も所定の場所に収納されている。
【００６６】
また、着脱式の荷台２１１（荷台＋スロープ）を用いる場合は上記のように折り畳んで対向する位置にある荷台受け４２１、２２１に荷台２１１を置くことになる。
【００６７】
＜安全柵への組み立て手順＞
続いて、前記台車状態から安全柵としての設置手順を以下に説明する。
【００６８】
まず、作業に必要な機材や資材、道具を積み込んだ台車の状態で作業現場に移動する。作業現場で柵体３４を支持アーム４４と把持具４４１により手近にある既設の転落防止柵１１と連結し、柵体３２、３４のキャスター６２のストッパーを掛けて固定する。
【００６９】
次に、荷台２１の後方の柵体３７を開き、スロープ２２を開いて、荷台２１上の機材を降ろす。ここで柵体３２のキャスター６２のストッパーが掛っているため、機材を降ろしている最中に柵体３１，３２が展開することはない。
【００７０】
次に、柵体３２のキャスター６２のストッパーを解除後、柵体３１〜３３を順次展開し支持アーム４４と把持治具４４１により転落防止柵１１と連結する。この段階では荷台受け４２１が荷台２１を支えているので、柵体３１〜３３を展開しても、荷台２１は水平に支持される。
【００７１】
その後、柵体３５〜３７を展開し支持アーム４４と把持具４４１により転落防止柵１１と連結する。
【００７２】
最後に、スロープ２２を荷台２１上に折りたたみ、その後荷台２１を上方に折りたたみ、スロープ２２とともに柵体３４に固定する。
【００７３】
また、着脱式の荷台２１１（荷台＋スロープ）を用いる場合は、最初に荷台２１を荷台受け４２１、２２１から外しておき、各柵体の展開が終了した後に前記柵体３５の荷受台３２１上に当該荷台２１１を固定しておくことになる。
【００７４】
なお、上記説明は本発明をコークス炉の補修に使用する場合について説明したが、本発明の使用箇所はコークス炉の補修のみでなく、あらゆる作業に適用できる。この場合、前記安全柵３０の支持受け体となる転落防止柵１１は、設置箇所に近くにある建造物等となる。また、建造物等の支持受け体がない場合には、図１１〜図１６に示した支持脚が使用されることになる。
【００７５】
以上説明したように、本発明は台車兼用安全柵として、コークス炉の補修を行えば、機材や人のはみ出し、更には転落を防止できるので安全性が確保できる。また、機材の保管や運搬に手間がかからず効率的に準備や撤収ができる。
【００７６】
また、上記のように安全性が向上したため、補修に集中できるようになり作業時間が短縮した。また従来作業員を３人要していたコークス炉用溶射機材の準備・運搬が、本発明を用いれば作業員１人でできるようになった。
【００７７】
なお、本発明は７面の柵体により構成されているが、それに限らず、現場で必要とされる形態に基づいて構成する柵体のサイズや数を決めればよい。柵体や荷台の展開・収納方法も上記の内容に限定されず適宜決めればよい。
【００７８】
また、上記安全柵への展開、台車への収納の手順は、図１に示す柵体の構成に基づいた説明であって、柵体の構成が異なれば展開手順、収納手順も当然に異なることになる。
【産業上の利用可能性】
【００７９】
以上説明したように、本発明は台車兼用安全柵であって、安全柵として使用するときに、荷台部分が作業に支障を来たさないようにしたので、あらゆる工事や設備補修に適用でき、特に長尺物を扱うコークス炉の補修に適用すると、その安全性、作業効率の向上につながる。
【符号の説明】
【００８０】
１１：転落防止柵
２１、２１１：荷台、
２２：スロープ、
３０：安全柵、
３１〜３７：柵体、
３３１：小物入れ、
３７１；ハンドル
３２１、４２１、４２２：荷台受け、
４１〜４３：継手、
４４：支持アーム、
４１１〜４１５：自立用支持脚、
５１：網、
６１、６２，６３：キャスター、
【図１】
0006467155.tif 000002
【図２】
0006467155.tif 000003
【図３】
0006467155.tif 000004
【図４】
0006467155.tif 000005
【図５】
0006467155.tif 000006
【図６】
0006467155.tif 000007
【図７】
0006467155.tif 000008
【図８】
0006467155.tif 000009
【図９】
0006467155.tif 000010
【図１０】
0006467155.tif 000011
【図１１】
0006467155.tif 000012
【図１２】
0006467155.tif 000013
【図１３】
0006467155.tif 000014
【図１４】
0006467155.tif 000015
【図１５】
0006467155.tif 000016
【図１６】
0006467155.tif 000017